(57)【要約】      （修正有）【課題】サンプルを投入・封入する際の手間が少なく、廃棄時の容量を少なくできるサンプル封入用薬袋、及びその製造方法を提供する。【解決手段】不透明のシート部材２と、シート部材２の裏面において上辺の開口部６を残して左右両辺と下辺が袋状に貼り合わされた透明な袋部材３とを備え、シート部材２の表面にはサンプル４に関する広告が三色以上のインクを使用して印刷され、シート部材２の裏面にはサンプル４の組成・性状に関する医薬品説明が１色または２色のインクを使用して袋部材３を通して視認可能に印刷されており、シート部材２の裏面における上端部分には、サンプル４を内部に収容した状態で袋体１の開口部６を閉止する糊部７Ａと剥離紙７Ｂとが設けられており、糊部７Ａの下方には、開口部６が閉止された状態においてシート部材２と袋部材３とを切取り可能な切取線８が形成されていると共に、医薬品説明は、切取線８よりも下方に印刷されている。【選択図】図６
2014210584.tif 000002
【特許請求の範囲】
【請求項１】
長方形状の不透明のシート部材と、このシート部材と同形状とされかつ前記シート部材の裏面において上辺の開口部を残して左右両辺と下辺の三辺が袋状に貼り合わされた透明な袋部材とを備えており、前記シート部材の表面には当該袋体の内部に収容されるサンプルに関する広告が三色以上のインクを使用して印刷されている一方、前記シート部材の裏面には前記サンプルの組成・性状に関する情報を含む医薬品説明が１色または２色のインクを使用して前記袋部材を通して外部から視認可能に印刷されており、前記シート部材の裏面における上端部分には、前記サンプルを当該袋体の内部に収容した状態で前記シート部材と袋部材とを接着することで当該袋体の開口部を閉止する糊部と該糊部を覆う剥離紙とが設けられており、前記糊部の下方には、前記開口部が閉止された状態において前記シート部材と袋部材とを切取り可能な切取線が形成されていると共に、前記医薬品説明は、前記切取線よりも下方に印刷されていることを特徴とするサンプル封入用袋体。
【請求項２】
前記袋部材は、ポリエチレンテレフタレート（PET）、二軸延伸ポリプロピレン（OPP）、ナイロン及びセロハンからなる群から選択される一つであることを特徴とする請求項１に記載のサンプル封入用袋体。
【請求項３】
請求項１または２に記載のサンプル封入用袋体の製造方法であって、シート部材となる連続する第一ロールと、袋部材となる連続する第二ロールとを使用し、（１）前記第一ロールの裏面に医薬品説明を印刷する裏面印刷工程、（２）所定長さの両面テープの一面側の剥離紙を残して、前記第一ロールの裏面において、シート部材の上辺となる位置に前記両面テープを貼り付ける両面テープ貼付工程、（３）前記第一ロールの裏面において、シート部材の上辺の開口部を残して左右両辺及び下辺の三辺に糊を添付する糊添付工程、（４）前記糊によって、前記第一ロールと第二ロールとを貼り合わせる部材貼付工程、（５）前記シート部材と袋部材とを切取り可能な切取線を形成する切取線形成工程、（６）第一ロール及び第二ロールを一つずつのサンプル封入用袋体の大きさに切断する切断工程、及び（７）切断後の前記シート部材の表面にサンプルに関する広告を三色以上のインクを使用して印刷する表面印刷工程を備えたことを特徴とするサンプル封入用袋体の製造方法。
【請求項４】
前記裏面印刷工程では、フレキソ印刷により印刷し、前記表面印刷工程では、オフセット印刷により印刷することを特徴とする請求項３に記載のサンプル封入用袋体の製造方法。
【発明の詳細な説明】
【技術分野】
【０００１】
本発明は、サンプル封入用袋体、及びその製造方法に関する。
【背景技術】
【０００２】
医薬品業界において、医薬品の販売者が、その購入を検討する病院の関係者に対して医薬品サンプルを配布するときには、ポリエチレン等の透明な袋体の内部にパンフレットと医薬品サンプルとを投入し、開口部分に設けられた凹凸チャックで封入した状態としていた。このとき使用される袋体は、柔らかくかつ腰がないため、Ａ４版程度の大きさのパンフレットを投入する際に手間取っていた。また、このようなサンプル封入用の袋体は、その役割を果たすと、サンプルを除く部分は廃棄されてしまうので、廃棄物量を減少させることが好ましい。
【０００３】
透明な袋を用いる技術としては、薬袋に関するものがある（特許文献１）。この先行文献には、表側シート部とこの裏面に袋状に貼り合わされた裏側シート部とを有する方形状の薬袋本体と、その内部に収容される処方薬の用法等に関する情報を説明するための処方薬説明シートとからなり、処方薬説明シートが薬袋本体の開口部または薬袋本体の一側辺部に隣接して裏側シート部または表側シート部と一体に形成されており、表側シート部により形成される薬袋本体の表面部に処方薬の提供者情報が印刷され、薬袋本体の表面部と同じ側の処方薬説明シートの表面部に処方薬の説明事項が印刷されることを特徴とする薬袋が開示されている。
【先行技術文献】
【特許文献】
【０００４】
【特許文献１】特開２０１２−１０１８５６号公報
【発明の概要】
【発明が解決しようとする課題】
【０００５】
しかしながら、上記薬袋は、本願発明のものとは用途が同一ではないため、そのまま使用することができず、更なる工夫が求められていた。
本発明は、上記した事情に鑑みてなされたものであり、その目的は、サンプルを投入、封入する際の手間が少なく、かつ廃棄時の容量を少なくできるサンプル封入用薬袋、及びその製造方法を提供することである。
【課題を解決するための手段】
【０００６】
上記目的を達成するための発明に係るサンプル封入用袋体は、長方形状の不透明のシート部材と、このシート部材と同形状とされかつ前記シート部材の裏面において上辺の開口部を残して左右両辺と下辺の三辺が袋状に貼り合わされた透明な袋部材とを備えており、前記シート部材の表面には当該袋体の内部に収容されるサンプルに関する広告が三色以上のインクを使用して印刷されている一方、前記シート部材の裏面には前記サンプルの組成・性状に関する情報を含む医薬品説明が１色または２色のインクを使用して前記袋部材を通して外部から視認可能に印刷されており、前記シート部材の裏面における上端部分には、前記サンプルを当該袋体の内部に収容した状態で前記シート部材と袋部材とを接着することで当該袋体の開口部を閉止する糊部と該糊部を覆う剥離紙とが設けられており、前記糊部の下方には、前記開口部が閉止された状態において前記シート部材と袋部材とを切取り可能な切取線が形成されていると共に、前記医薬品説明は、前記切取線よりも下方に印刷されていることを特徴とする。
【０００７】
本発明に係るサンプル封入用袋体を製造するには、シート部材の裏面に医薬品説明を印刷する裏面印刷工程、シート部材の表面にサンプルの広告を印刷する表面印刷工程、シート部材の裏面に袋部材を貼り付ける部材貼付工程の三個の工程を経る必要がある。このうち、裏面印刷工程は、部材貼付工程よりも前に実施しなければならない。このため、上記三個の工程の順序については、（ａ）裏面印刷工程、部材貼付工程、表面印刷工程、（ｂ）表面印刷工程、裏面印刷工程、部材貼付工程、（ｃ）裏面印刷工程、表面印刷工程、部材貼付工程のいずれかを採用できる。
【０００８】
このうち、好ましくは次の製造方法を採用できる。すなわち、前記サンプル封入用袋体の製造方法であって、シート部材となる連続する第一ロールと、袋部材となる連続する第二ロールとを使用し、（１）前記第一ロールの裏面に医薬品説明を印刷する裏面印刷工程、（２）所定長さの両面テープの一面側の剥離紙を残して、前記第一ロールの裏面において、シート部材の上辺となる位置に前記両面テープを貼り付ける両面テープ貼付工程、（３）前記第一ロールの裏面において、シート部材の上辺の開口部を残して左右両辺及び下辺の三辺に糊を添付する糊添付工程、（４）前記糊によって、前記第一ロールと第二ロールとを貼り合わせる部材貼付工程、（５）前記シート部材と袋部材とを切取り可能な切取線を形成する切取線形成工程、（６）前記第一ロール及び第二ロールを一つずつのサンプル封入用袋体の大きさに切断する切断工程、及び（７）切断後の前記シート部材の表面にサンプルに関する広告を三色以上のインクを使用して印刷する表面印刷工程を備えたことを特徴とする。なお、上記（２）両面テープ貼付工程と（３）糊添付工程とは、逆順を入れ替えて（３）、（２）の順に実施しても良い。
【０００９】
本発明において、前記袋部材は、ポリエチレンテレフタレート（PET）、二軸延伸ポリプロピレン（OPP）、ナイロン及びセロハンからなる群から選択される一つであることが好ましく、PETであることが更に好ましい。
本発明において、前記裏面印刷工程では、フレキソ印刷により印刷し、前記表面印刷工程では、オフセット印刷により印刷することが好ましい。
【発明の効果】
【００１０】
本発明によれば、サンプル封入用袋体の開口部からサンプルを内部に投入し、剥離紙を剥離した後、シート部材の裏側に設けられた糊部を使用して、シート部材と袋部材とを接着することでサンプルを封入した袋体が形成される。医薬品説明は、既にシート部材の裏面に印刷されており、透明の袋部材を通して外部から視認できるので、別紙として封入する必要がなく、従来に比べると作成時の手間が省ける。また、サンプル封入用袋体の内部に封入されたサンプルを取り出すときには、切取線を用いてシート部材と袋部材とを切り取ることで袋体を開封する。このとき、医薬品説明は、切取線よりも下方に印刷されているので、この切取操作によって情報が損なわれることがない。加えて、本発明の構成では、医薬品説明シートを兼用するサンプル封入用袋体自体を（場合によって、シート部材と袋部材との分離して）廃棄すれば済むので、従来の構成（袋体とは別に医薬品説明シートが使用されていた）に比べると、廃棄物の量を少なくできる。
【図面の簡単な説明】
【００１１】
【図１】本実施形態におけるサンプル封入用袋体の表面図である。
【図２】サンプル封入用袋体の裏面図である。
【図３】サンプル封入用袋体の側面図である。
【図４】サンプル封入用袋体にサンプルを封入するときの手順を説明する斜視図（１）である。
【図５】サンプル封入用袋体にサンプルを封入するときの手順を説明する斜視図（２）である。
【図６】サンプル封入用袋体にサンプルを封入するときの手順を説明する斜視図（３）である。
【図７】サンプル封入用袋体にサンプルを封入するときの手順を説明する斜視図（４）である。
【図８】サンプル封入用袋体にサンプルを封入するときの手順を説明する斜視図（５）である。
【図９】サンプル封入用袋体にサンプルを封入したときの裏面図である。
【図１０】切取線を切り取って、内部のサンプルを取り出すときの様子を示す裏面図である。
【図１１】サンプル封入用袋体の製造工程を説明する図である。図中の矢印Ｓは、シート部材及び袋部材の進行方向である。（Ａ）シート部材の裏面に医薬品説明を印刷する裏面印刷工程、（Ｂ）シート部材の裏面に糊付け、及び両面テープを貼付する工程、（Ｃ）シート部材の裏面に袋部材を貼り付ける袋体製造工程、切取線を作成する工程、一枚ずつの袋体に切り離す工程をそれぞれ示す。
【発明を実施するための形態】
【００１２】
次に、本発明の実施形態について、図表を参照しつつ説明するが、本発明の技術的範囲は、これらの実施形態によって限定されるものではなく、発明の要旨を変更することなく様々な形態で実施できる。
＜サンプル封入用袋体の構成＞
図１〜図３を参照しつつ、サンプル封入用袋体１（以下、単に「袋体１」ということがある）の構成について説明する。袋体１は、Ａ４版（２１０ｍｍ×２９７ｍｍ）程度の大きさの長方形状とされており、不透明のシート部材２と、透明な袋部材３とを備えている。シート部材２は、両面印刷が可能であり、袋部材３を構成する材質との接着が可能な素材（主として、紙材）から構成されている。シート部材２の表面２Ａ（図１に示す面側）には、袋体１の内部に収容されるサンプル４に関する広告２０が三色以上のインクを使用してカラフルに印刷されている。表面２Ａには、サンプル４の一般名・商品名（図中においては、例えば「感冒薬（×××）」）、製造販売元などの情報が印刷されている。また、表面２Ａの左上には、空欄５が形成されており、ここにはサンプル４の提供先（医師名、薬剤師名など）などの情報を記載できる。
【００１３】
裏面２Ｂには、図２に示すように、サンプル４の組成・性状、効能・効果、用法・用量、注意書などの情報を含む医薬品説明３０が印刷されている。医薬品説明３０は、一色〜四色程度のインクを用いて、フレキソ印刷されている。この医薬品説明は、透明な袋部材３を通して視認可能とされている。
袋部材３は、透明な部材（例えばPET、OPP、ナイロン、セロハンなどを使用できる）により、シート部材２と同形状とされている。シート部材２と袋部材３は、左右両辺及び下辺の三辺が接着剤により貼り合わせられて接着部９とされ、上辺の開口部６を残して袋状とされている。三辺の接着部９のうち、下辺及び左右両辺の所定箇所（下辺：二ヶ所、左右両辺：それぞれ三ヶ所）には、接着剤が塗布されていないため、シート部材２と袋部材３とが接着されずに、空気孔９Ａが設けられている。この空気孔９Ａによって、袋体１の内部にサンプル４を封入する際に、袋体１の空気を抜いて膨れあがることが回避される。なお、左右両辺においては、接着剤の上端位置は、後述の切取線８よりも下方位置に設定されている。シート部材２の裏面２Ｂにおいて、開口部６付近には、糊部７Ａと剥離紙７Ｂとを備えた両面テープ７が設けられている（より詳細には、両面テープ７の片面側の剥離紙（図示せず）が剥がされて、裏面２Ｂの上端部分に貼付されている）。また、両面テープ７の下方には、シート部材２と袋部材３とについて、同じ位置に切取線８が設けられている。
なお、図３については、側面から見たときの様子が分かりやすいように、両部材２，３及び両面テープ７の厚さを実際よりも厚く示してある。
【００１４】
＜サンプル封入用袋体の使用方法＞
上記のように構成された袋体１の使用方法について、図４〜図１０を参照しつつ説明する。なお、図４〜図８については、図示の都合上、裏面２Ｂに印刷された医薬品説明３０を省略した。
まず、図４及び図５に示すように、表面２Ａの広告２０及び裏面２Ｂの医薬品説明３０に対応するサンプル４を用意し、袋体１の開口部６を開放した状態で、袋体１の内部に投入する。
次いで、図６及び図７に示すように、剥離紙７Ｂを剥離し、糊部７Ａを開放する。
【００１５】
最後に、図８に示すように、糊部７Ａを使用してシート部材２と袋部材３とを接着し、袋体１の開口部６を閉止する。こうして、サンプル４を封入した袋体１が形成される。医薬品説明３０は、既にシート部材２の裏面２Ｂに印刷されているので、従来のように別紙として封入する必要がない。
この状態で、サンプル４を所望する者（例えば、医師、薬剤師、病院の薬剤部など）に対して、袋体１を手渡すことができる。
次に、袋体１の内部に封入されたサンプル４を取り出すときには、図１０に示すように、切取線８を用いてシート部材２と袋部材３とを切り取ることにより、袋体１の上辺部分を開封する。このとき、両部材２，３の左右両辺部分を接着している接着剤の上端位置は、切取線８よりも下端に設けられているので、切り取り操作を行いやすいと共に、切り取り操作後に上端部分を開放しやすい。また、裏面２Ｂの医薬品説明３０は、切取線よりも下方に印刷されているので、切取操作によって情報が損なわれることがない。加えて、不要となった袋体１自体を（場合によっては、シート部材２と袋部材３とを分離したうえで）廃棄すればよいので、医薬品説明シートが別体として添付されていた場合に比べると、廃棄物量を少なくできる。
【００１６】
＜サンプル封入用袋体の製造方法＞
次に、図１１を参照しつつ、袋体１の製造方法の一例について説明する。図中の矢印Ｓは、シート部材２及び袋部材３の進行方向を示す。なお、本実施形態は袋体１の製造方法の一例であり、他の製造工程を採用して袋体１を製造しても良い。
本実施形態においては、シート部材２及び袋部材３は、いずれも連続したロール１０，１１から形成される。まず、図１１（Ａ）に示すように、シート部材２用の第一ロール１０について、裏面に医薬品説明を印刷する裏面印刷工程を実施する。図中、第一ロール１０の右方（第一ロール１０から連続するシート部材２が進行する方向）には、裏面印刷用のフレキソ印刷機１２が設けられており、第一ロール１０から所定速度でシート部材２が送り込まれると共に、裏面に医薬品説明３０が印刷される。
次に、図１１（Ｂ）に示すように、裏面において、左右両端部分と下端部分の三ヶ所に糊添付する糊付工程と、上端付近に両面テープを貼り付ける両面テープ貼付工程を実施する。図中、連続するシート部材２の近傍には、裏面の所定部分に両面テープを貼り付ける両面テープ貼付装置１３と、左右両辺及び下辺部分に糊付けを行う糊付装置１４が設けられている。
【００１７】
次いで、図１１（Ｃ）に示すように、シート部材２と袋部材３を貼り合わせる部材貼付工程、袋体１の上端部分に切取線８を形成する切取線形成工程、及び一つずつの袋体１の大きさに切断する切断工程を実施する。図中、シート部材２となる第一ロール１０の下方には、袋部材３が連続する第二ロール１１が設けられている。また、右方向（両部材２，３が進行する方向）には、順に両部材２，３を貼り付ける部材貼付装置１５、切取線８を形成する切取線加工装置１６、貼り付けられた両部材２，３を袋体１の大きさに切断する切断装置１７が設けられている。
このようにして一つずつの大きさに切断された袋体１については、シート部材２の表面２Ａに広告２０を三色以上のインクを使用して印刷する（表面印刷工程）。この表面印刷工程では、オフセット印刷を用いることができる。
こうして、本実施形態によれば、サンプルを投入、封入する際の手間が少なく、かつ廃棄時の容量を少なくできる袋体１、及びその製造方法を提供できた。
【符号の説明】
【００１８】
１…サンプル封入用袋体、２…シート部材、２Ａ…表面（広告印刷面）、２Ｂ…裏面（医薬品説明印刷面）、３…袋部材、４…サンプル、６…開口部、７…両面テープ、７Ａ…糊部、７Ｂ…剥離紙、８…切取線、１０…第一ロール、１１…第二ロール、１２…フレキソ印刷機、１３…糊付装置、１４…両面テープ貼付装置、１５…部材貼付装置、１６…切取線加工装置、１７…切断装置、２０…広告、３０…医薬品説明
【図１】
2014210584.tif 000003
【図２】
2014210584.tif 000004
【図３】
2014210584.tif 000005
【図４】
2014210584.tif 000006
【図５】
2014210584.tif 000007
【図６】
2014210584.tif 000008
【図７】
2014210584.tif 000009
【図８】
2014210584.tif 000010
【図９】
2014210584.tif 000011
【図１０】
2014210584.tif 000012
【図１１】
2014210584.tif 000013